(57)【特許請求の範囲】
【請求項１】
端末装置に表示されている情報がアクセス認証が必要な情報か否かを判定する判定手段と、
前記アクセス認証が不要と判定された前記情報に対する前記端末装置のユーザによる評価情報の付加を許可する評価制御手段と、
前記評価情報の付加を許可した前記端末装置に表示される前記情報のうち指定された情報を特定する特定情報と、指定された前記情報に対する評価を示す評価情報と、前記評価情報を付加したユーザに関する識別情報と、を取得する取得手段と、
前記取得手段によって取得された前記特定情報と前記評価情報と前記識別情報とを関連付けて記憶する評価等記憶手段と、
表示要求を受け付ける受付手段と、
前記受付手段によって受け付けられた前記表示要求に基づいて情報に対応する前記特定情報と前記評価情報と前記識別情報とを前記評価等記憶手段から抽出する抽出手段と、
前記抽出手段によって抽出された前記特定情報と前記評価情報と前記識別情報とを前記表示要求の出力元である端末装置に対して出力する出力手段と、
を備えたことを特徴とする情報処理装置。
【請求項２】
前記判定手段により前記アクセス認証が必要と判定された場合、所定のサーバにアクセスすることにより、前記アクセス認証が必要と判定された情報に係る評価情報を付加したユーザとその情報を共有する相手として関連付けられているユーザを特定するユーザ特定手段を備え、
前記出力手段は、前記アクセス認証が必要と判定された前記情報に係る前記評価情報を、前記ユーザ特定手段で特定されたユーザの前記端末装置に対してのみ出力する
ことを特徴とする請求項１に記載の情報処理装置。
【請求項３】
前記評価等記憶手段は、前記評価情報ごとに日時情報を対応付けて記憶し、
前記出力手段は、前記特定情報によって特定される前記情報と関連付けて、その情報に付加された前記評価情報が示す評価の数と前記評価情報に対応付けられている前記日時情報とを前記端末装置へ出力することを特徴とする請求項１又は２に記載の情報処理装置。
【請求項４】
前記取得手段は、前記端末装置に表示される前記情報に関連付けられた前記評価情報のうち、選択された評価情報を示す選択情報を取得し、
前記出力手段は、前記取得手段により取得された前記選択情報に応じた前記評価情報に関連する予め定められた情報を前記端末装置へ出力することを特徴とする請求項１から３のいずれか一項に記載の情報処理装置。
【請求項５】
前記評価情報に係る前記情報のキャッシュを取得し、予め定められたキャッシュ記憶手段に記憶させるキャッシュ取得手段を備え、
前記出力手段は、前記評価情報に係る前記情報が変更または削除されたことを検出した場合に、前記キャッシュ記憶手段に記憶されている前記キャッシュにより、その情報のうち少なくとも、抽出された前記特定情報に係る部分を前記評価情報と共に前記端末装置へ送信することを特徴とする請求項１から４のいずれか一項に記載の情報処理装置。
【請求項６】
第１のサーバから提供されて画面に表示している情報がアクセス認証が必要な情報か否かを第２のサーバで判定するために、前記画面に表示している情報のＵＲＬを第２のサーバへ送信する第１の送信手段と、
第２のサーバにより前記画面に表示している情報がアクセス認証が不要と判定された場合に、前記情報に対する端末装置のユーザによる評価情報の付加を許可する指示データを第２のサーバから受信する第１の受信手段と、
前記第１の受信手段により前記指示データを受信した場合に、前記情報を指定する操作を受け付ける指定手段と、
前記指定手段により指定された前記情報に対する評価を示す評価情報を付加する操作を受け付ける評価手段と、
前記指定手段により指定された前記情報を特定する特定情報と、指定された前記情報に対し付加された前記評価情報と、前記評価情報を付加したユーザに関する識別情報と、を第２のサーバへ送信する第２の送信手段と、
情報の表示要求を第１のサーバ及び第２のサーバへ送信する第３の送信手段と、
前記第３の送信手段によって送信された前記表示要求に応じた前記情報を第１のサーバから受信する第２の受信手段と、
前記第３の送信手段によって送信された前記表示要求に基づく特定情報と、評価情報と、識別情報と、を第２のサーバから受信する第３の受信手段と、
前記第３の受信手段によって受信された前記特定情報によって特定される情報に関連付けて、前記第３の受信手段によって受信された前記評価情報と前記識別情報とを前記画面に表示する表示手段と、
を備えたことを特徴とする端末装置。
【請求項７】
請求項１から５のいずれか一項に記載の情報処理装置と、請求項６の端末装置と、を備えたことを特徴とするシステム。
【請求項８】
端末装置に表示されている情報がアクセス認証が必要な情報か否かを判定する判定手処理と、
前記アクセス認証が不要と判定された前記情報に対する前記端末装置のユーザによる評価情報の付加を許可する評価制御処理と、
前記評価情報の付加を許可した前記端末装置に表示される前記情報のうち指定された情報を特定する特定情報と、指定された前記情報に対する評価を示す評価情報と、前記評価情報を付加したユーザに関する識別情報と、を取得する取得処理と、
前記取得処理によって取得された前記特定情報と前記評価情報と前記識別情報とを関連付けて評価等記憶手段に記憶する評価等記憶処理と、
表示要求を受け付ける受付処理と、
前記受付処理によって受け付けられた前記表示要求に基づいて情報に対応する前記特定情報と前記評価情報と前記識別情報とを前記評価等記憶手段から抽出する抽出処理と、
前記抽出処理によって抽出された前記特定情報と前記評価情報と前記識別情報とを前記表示要求の出力元である端末装置に対して出力する出力処理と、
をコンピュータが実行することを特徴とする情報処理方法。
【請求項９】
第１のサーバから提供されて画面に表示している情報がアクセス認証が必要な情報か否かを第２のサーバで判定するために、前記画面に表示している情報のＵＲＬを第２のサーバへ送信する第１の送信処理と、
第２のサーバにより前記画面に表示している情報がアクセス認証が不要と判定された場合に、前記情報に対する端末装置のユーザによる評価情報の付加を許可する指示データを第２のサーバから受信する第１の受信処理と、
前記第１の受信処理により前記指示データを受信した場合に、前記情報を指定する操作を受け付ける指定処理と、
前記指定処理により指定された前記情報に対する評価を示す評価情報を付加する操作を受け付ける評価処理と、
前記指定処理により指定された前記情報を特定する特定情報と、指定された前記情報に対し付加された前記評価情報と、前記評価情報を付加したユーザに関する識別情報と、を第２のサーバへ送信する第２の送信処理と、
情報の表示要求を第１のサーバ及び第２のサーバへ送信する第３の送信処理と、
前記第３の送信処理によって送信された前記表示要求に応じた前記情報を第１のサーバから受信する第２の受信処理と、
前記第３の送信処理によって送信された前記表示要求に基づく特定情報と、評価情報と、識別情報と、を第２のサーバから受信する第３の受信処理と、
前記第３の受信処理によって受信された前記特定情報によって特定される情報に関連付けて、前記第３の受信処理によって受信された前記評価情報と前記識別情報とを前記画面に表示する表示処理と、
を端末装置のコンピュータが実行することを特徴とする情報処理方法。
【請求項１０】
端末装置に表示されている情報がアクセス認証が必要な情報か否かを判定する判定処理と、
前記アクセス認証が不要と判定された前記情報に対する前記端末装置のユーザによる評価情報の付加を許可する評価制御処理と、
前記評価情報の付加を許可した前記端末装置に表示される前記情報のうち指定された情報を特定する特定情報と、指定された前記情報に対する評価を示す評価情報と、前記評価情報を付加したユーザに関する識別情報と、を取得する取得処理と、
前記取得処理によって取得された前記特定情報と前記評価情報と前記識別情報とを関連付けて評価等記憶手段に記憶する評価等記憶処理と、
表示要求を受け付ける受付処理と、
前記受付処理によって受け付けられた前記表示要求に基づいて情報に対応する前記特定情報と前記評価情報と前記識別情報とを前記評価等記憶手段から抽出する抽出処理と、
前記抽出処理によって抽出された前記特定情報と前記評価情報と前記識別情報とを前記表示要求の出力元である端末装置に対して出力する出力処理と、
をコンピュータに実行させることを特徴とする情報処理プログラム。
【請求項１１】
第１のサーバから提供されて画面に表示している情報がアクセス認証が必要な情報か否かを第２のサーバで判定するために、前記画面に表示している情報のＵＲＬを第２のサーバへ送信する第１の送信処理と、
第２のサーバにより前記画面に表示している情報がアクセス認証が不要と判定された場合に、前記情報に対する端末装置のユーザによる評価情報の付加を許可する指示データを第２のサーバから受信する第１の受信処理と、
前記第１の受信処理により前記指示データを受信した場合に、前記情報を指定する操作を受け付ける指定処理と、
前記指定処理により指定された前記情報に対する評価を示す評価情報を付加する操作を受け付ける評価処理と、
前記指定処理により指定された前記情報を特定する特定情報と、指定された前記情報に対し付加された前記評価情報と、前記評価情報を付加したユーザに関する識別情報と、を第２のサーバへ送信する第２の送信処理と、
情報の表示要求を第１のサーバ及び第２のサーバへ送信する第３の送信処理と、
前記第３の送信処理によって送信された前記表示要求に応じた前記情報を第１のサーバから受信する第２の受信処理と、
前記第３の送信処理によって送信された前記表示要求に基づく特定情報と、評価情報と、識別情報と、を第２のサーバから受信する第３の受信処理と、
前記第３の受信処理によって受信された前記特定情報によって特定される情報に関連付けて、前記第３の受信処理によって受信された前記評価情報と前記識別情報とを前記画面に表示する表示処理と、
を端末装置のコンピュータに実行させることを特徴とする情報処理プログラム。
【発明の詳細な説明】
【技術分野】
【０００１】
本発明は、ネットワーク経由で提供される情報に対する評価に関する。
【背景技術】
【０００２】
従来、ネットワークを介して受信されたニュース記事やブログ記事など各種のコンテンツに対して、それを閲覧したユーザの評価を明示する仕組みとして、記事やページ中に評価を投票するためのボタンを設置し、その押下数などの評価を表すアイコンを表示するといった提案は存在する。他にも、ウェブページに対するユーザ（書き手・読み手）の行動パターンを分析してこの行動パターンの統計情報に重みづけを行い、収集した統計情報とこの統計情報の重みづけの結果とからウェブページの評価を行う技術が知られている（例えば、特許文献１参照）。
【０００３】
この種の提案は、コンテンツの全体もしくは記事などのコンテンツを画面に表示しているページ全体といった、予め定められた情報を対象の単位とした評価を明示していた。
【先行技術文献】
【特許文献】
【０００４】
【特許文献１】特開２００８−５２６７５号
【非特許文献】
【０００５】
【非特許文献１】ヤフー株式会社、「ネタりか」（特にマーカーツール）、［online］、［2011年12月14日検索］、インターネット〈URL:  http://netallica.yahoo.co.jp/guide/>
【発明の概要】
【発明が解決しようとする課題】
【０００６】
しかしながら、ウェブページに含まれるコンテンツには、ニュース記事、ブログ記事、広告、画像や文章の各部分など、ウェブページを構成する多様な要素が複数含まれており、そのような多様な複数の情報それぞれを対象にしたユーザの評価を表示してユーザ間で共有することが可能な技術は従来知られていなかった。
【０００７】
なお、記事中でユーザが指定した文章の部分領域にマーキングを行い、マーキングしたユーザ数が多い領域ほど、マーキングを明瞭に表示する工夫も知られているが（例えば、非特許文献１参照）、所定のウェブサイト内の限られた記事が適用対象で、評価対象も文章の一部をマーキングする内容に限られていた。
【０００８】
すなわち、従来の技術では、ネットワークを介して受信可能な任意のウェブページを対象としてそのウェブページを構成する任意の要素単位で情報を指定し、指定した情報に対するユーザの評価を収集して表示させることはできなかった。また、ウェブページを構成する要素単位に対する評価を投票したユーザの人数や属性などのユーザに関する情報を共有するしくみは存在していなかった。
【０００９】
上記の課題に対し、本発明の目的は、ネットワーク経由で閲覧されるウェブページを構成する要素単位へのユーザ評価と、その評価を投票したユーザに関する情報をユーザ間で共有することである。
【課題を解決するための手段】
【００１０】
上記の目的をふまえ、本発明の一態様（１）である情報処理装置は、端末装置に表示される情報のうち指定された情報を特定する特定情報と、指定された前記情報に対する評価を示す評価情報と、前記評価情報を付加したユーザに関する識別情報と、を取得する取得手段と、前記取得手段によって取得された前記特定情報と前記評価情報と前記識別情報とを関連付けて記憶する評価等記憶手段と、表示要求を受け付ける受付手段と、前記受付手段によって受け付けられた前記表示要求に基づいて情報に対応する前記特定情報と前記評価情報と前記識別情報とを前記評価等記憶手段から抽出する抽出手段と、前記抽出手段によって抽出された前記特定情報と前記評価情報と前記識別情報とを前記表示要求の出力元である端末装置に対して出力する出力手段とを備えたことを特徴とする。
【００１１】
本発明の他の態様（９）である情報処理方法は、上記態様を方法のカテゴリで捉えたもので、端末装置に表示される情報のうち指定された情報を特定する特定情報と、指定された前記情報に対する評価を示す評価情報と、前記評価情報を付加したユーザに関する識別情報と、を取得する取得処理と、前記取得処理によって取得された前記特定情報と前記評価情報と前記識別情報とを関連付けて評価等記憶手段に記憶する評価等記憶処理と、表示要求を受け付ける受付処理と、前記受付処理によって受け付けられた前記表示要求に基づいて情報に対応する前記特定情報と前記評価情報と前記識別情報とを前記評価等記憶手段から抽出する抽出処理と、前記抽出処理によって抽出された前記特定情報と前記評価情報と前記識別情報とを前記表示要求の出力元である端末装置に対して出力する出力処理と、をコンピュータが実行することを特徴とする。
【００１２】
本発明の他の態様（１１）である情報処理プログラムは、上記態様をコンピュータ・プログラムのカテゴリで捉えたもので、端末装置に表示される情報のうち指定された情報を特定する特定情報と、指定された前記情報に対する評価を示す評価情報と、前記評価情報を付加したユーザに関する識別情報と、を取得する取得処理と、前記取得処理によって取得された前記特定情報と前記評価情報と前記識別情報とを関連付けて評価等記憶手段に記憶する評価等記憶処理と、表示要求を受け付ける受付処理と、前記受付処理によって受け付けられた前記表示要求に基づいて情報に対応する前記特定情報と前記評価情報と前記識別情報とを前記評価等記憶手段から抽出する抽出処理と、前記抽出処理によって抽出された前記特定情報と前記評価情報と前記識別情報とを前記表示要求の出力元である端末装置に対して出力する出力処理と、をコンピュータに実行させることを特徴とする。
【００１３】
本発明の他の態様（７）である端末装置は、上記態様に対応する端末装置に関するもので、第１のサーバから提供されて画面に表示している情報を指定する操作を受け付ける指定手段と、前記指定手段により指定された前記情報に対する評価を示す評価情報を付加する操作を受け付ける評価手段と、前記指定手段により指定された前記情報を特定する特定情報と、指定された前記情報に対し付加された前記評価情報と、前記評価情報を付加したユーザに関する識別情報と、を第２のサーバへ送信する第１の送信手段と、情報の表示要求を第１のサーバ及び第２のサーバへ送信する第２の送信手段と、前記第２の送信手段によって送信された前記表示要求に応じた前記情報を第１のサーバから受信する第１の受信手段と、前記第２の送信手段によって送信された前記表示要求に基づく特定情報と、評価情報と、識別情報と、を第２のサーバから受信する第２の受信手段と、前記第２の受信手段によって受信された前記特定情報によって特定される情報に関連付けて、前記第２の受信手段によって受信された前記評価情報と前記識別情報とを前記画面に表示する表示手段と、を備えたことを特徴とする。
【００１４】
本発明の他の態様（１０）である情報処理方法は、上記態様を方法のカテゴリで捉えたもので、第１のサーバから提供されて画面に表示している情報を指定する操作を受け付ける指定処理と、前記指定処理により指定された前記情報に対する評価を示す評価情報を付加する操作を受け付ける評価処理と、前記指定処理により指定された前記情報を特定する特定情報と、指定された前記情報に対し付加された前記評価情報と、前記評価情報を付加したユーザに関する識別情報と、を第２のサーバへ送信する第１の送信処理と、情報の表示要求を第１のサーバ及び第２のサーバへ送信する第２の送信処理と、前記第２の送信処理によって送信された前記表示要求に応じた前記情報を第１のサーバから受信する第１の受信処理と、前記第２の送信処理によって送信された前記表示要求に基づく特定情報と、評価情報と、識別情報と、を第２のサーバから受信する第２の受信処理と、前記第２の受信処理によって受信された前記特定情報によって特定される情報に関連付けて、前記第２の受信処理によって受信された前記評価情報と前記識別情報とを前記画面に表示する表示処理と、を端末装置のコンピュータが実行することを特徴とする。
【００１５】
本発明の他の態様（１２）である情報処理プログラムは、上記態様をコンピュータ・プログラムのカテゴリで捉えたもので、第１のサーバから提供されて画面に表示している情報を指定する操作を受け付ける指定処理と、前記指定処理により指定された前記情報に対する評価を示す評価情報を付加する操作を受け付ける評価処理と、前記指定処理により指定された前記情報を特定する特定情報と、指定された前記情報に対し付加された前記評価情報と、前記評価情報を付加したユーザに関する識別情報と、を第２のサーバへ送信する第１の送信処理と、情報の表示要求を第１のサーバ及び第２のサーバへ送信する第２の送信処理と、前記第２の送信処理によって送信された前記表示要求に応じた前記情報を第１のサーバから受信する第１の受信処理と、前記第２の送信処理によって送信された前記表示要求に基づく特定情報と、評価情報と、識別情報と、を第２のサーバから受信する第２の受信処理と、前記第２の受信処理によって受信された前記特定情報によって特定される情報に関連付けて、前記第２の受信処理によって受信された前記評価情報と前記識別情報とを前記画面に表示する表示処理と、を端末装置のコンピュータに実行させることを特徴とする。
【００１６】
本発明の他の態様（８）であるシステムは、上記態様をシステムのカテゴリで捉えたもので、上記いずれかの態様における情報処理装置と、上記いずれかの態様における端末装置と、を備えたことを特徴とする。
【００１７】
本発明の他の態様（２）は、上記いずれかの態様において、前記評価等記憶手段（「手段」は方法及びプログラムにあっては「処理」と読み替える。以下同じ）は、前記評価情報ごとに日時情報を対応付けて記憶し、前記出力手段は、前記特定情報によって特定される前記情報と関連付けて、その情報に付加された前記評価情報が示す評価の数と前記評価情報に対応付けられている前記日時情報とを前記端末装置へ出力することを特徴とする。
【００１８】
本発明の他の態様（３）は、上記いずれかの態様において、前記端末装置に表示されている前記情報について、アクセス認証が必要か不要かを判定する判定手段と、前記アクセス認証が不要と判定された前記情報に限って、前記端末装置における前記評価情報の付加を許可する評価制御手段と、を備えたことを特徴とする。
【００１９】
本発明の他の態様（４）は、上記いずれかの態様において、前記端末装置のユーザを識別するユーザ識別手段を備え、前記出力手段は、前記アクセス認証が必要と判定された前記情報に係る前記評価情報については、その評価情報を付加したユーザとその情報を共有する相手として関連付けられているユーザの前記端末装置に対してのみ出力することを特徴とする。
【００２０】
本発明の他の態様（５）は、上記いずれかの態様において、前記取得手段は、前記端末装置に表示される前記情報に関連付けられた前記評価情報のうち、選択された評価情報を示す選択情報を取得し、前記出力手段は、前記取得手段により取得された前記選択情報に応じた前記評価情報に関連する予め定められた情報を前記端末装置へ出力することを特徴とする。
【００２１】
本発明の他の態様（６）は、上記いずれかの態様において、前記評価情報に係る前記情報のキャッシュを取得し、予め定められたキャッシュ記憶手段に記憶させるキャッシュ取得手段を備え、前記出力手段は、前記評価情報に係る前記情報が変更または削除されたことを検出した場合に、前記キャッシュ記憶手段に記憶されている前記キャッシュにより、その情報のうち少なくとも、抽出された前記特定情報に係る部分を前記評価情報と共に前記端末装置へ送信することを特徴とする。
【００２２】
なお、上記の各態様は、明記しない他のカテゴリ（方法、プログラム、システムなど）としても把握することができ、方法やプログラムのカテゴリについては、装置のカテゴリで示した「手段」を、「処理」や「ステップ」のように適宜読み替えるものとする。また、処理やステップの順序は、本出願に直接明記のものに限定されず、順序を変更したり、一部の処理をまとめてもしくは随時一部分ずつ実行するなど、変更可能である。
【００２３】
また、個々の手段、処理やステップを実現、実行する端末などのコンピュータは共通でもよいし、手段、処理やステップごとにもしくはタイミングごとに異なってもよい。また、上記「手段」の全部又は任意の一部を「部」（ユニット、セクション、モジュール等）と読み替えることができる。
【発明の効果】
【００２４】
本発明によれば、ネットワーク経由で閲覧されるウェブページを構成する要素単位へのユーザ評価と、その評価を投票したユーザに関する情報をユーザ間で共有することができる。
【図面の簡単な説明】
【００２５】
【図１】本発明の実施形態について構成を示す機能ブロック図。
【図２】本発明の実施形態におけるデータ例を示す図。
【図３】本発明の実施形態における処理手順を示すフローチャート。
【図４】本発明の実施形態における処理手順を示すフローチャート（まとめページの表示）。
【図５】本発明の実施形態における表示画面の一例を示す図。
【図６】本発明の実施形態における表示画面の一例を示す図。
【図７】本発明の実施形態における表示画面の一例を示す図。
【発明を実施するための形態】
【００２６】
次に、本発明を実施するための形態（「実施形態」と呼ぶ）について図に沿って例示する。なお、背景技術や課題などで既に述べた内容と共通の前提事項は適宜省略する。
【００２７】
〔１．構成〕
本実施形態は、図１の構成図に示す情報処理装置１（「評価サーバ１」とも呼ぶ）と端末装置Ｔ（「端末Ｔ」とも呼ぶ）とを備えたシステム（「本システム」とも呼ぶ）に関するもので、端末Ｔは、本システムに含まれない第１のサーバ（以下「情報サーバＳ」や「情報サーバ」とも呼ぶ）から提供される情報を表示するクライアント装置である。
【００２８】
以下、単に「情報」というときは、情報サーバＳから提供され端末Ｔで表示されるニュース記事などのコンテンツの情報を意味するが、その形式は、ウェブ・ブラウザで表示されるウェブページや、アプリケーション・プログラム（単に「アプリケーション」や「アプリ」とも呼ぶ）によって表示されるページなど、任意である。
【００２９】
また、評価サーバ１は、ユーザが端末Ｔを用いて表示された情報の任意の要素に付加した評価情報を蓄積及び提供する第２のサーバである。この評価サーバ１は、コンピュータの構成として少なくとも、ＣＰＵなどの演算制御部６と、主メモリや補助記憶装置等の記憶部７と、通信ネットワークＮ（例えば、インターネット、携帯電話、ＰＨＳ、公衆無線ＬＡＮなどの移動通信網など）との通信手段８（例えば、無線や有線の各種通信アダプタ、その他の通信回路、通信機器など）と、を有する。
【００３０】
また、端末Ｔは、スマートフォン、携帯電話端末、タブレットＰＣなどの携帯端末や、その他のパーソナルコンピュータなどで、上記のようなコンピュータの構成（演算制御部１６、記憶部１７、通信部１８）に加え、タッチパネル機能付きの液晶や有機ＥＬを用いた表示画面Ｇなどの入出力手段を有する。
【００３１】
評価サーバ１及び端末Ｔでは、それぞれ、記憶部７又は１７に記憶したコンピュータ・プログラム（情報処理プログラム）を演算制御部６又は１６が実行することで、図１に示す各手段などの要素（２０、３０、５０、６０ほか）を実現する。実現される要素のうち情報の記憶手段の態様は自由で、記憶部７又は１７上のファイルなど任意のデータ形式で実現できるほか、ネットワーク・コンピューティング（クラウド・コンピューティング）によるリモート記憶などでもよい。
【００３２】
また、記憶手段は、データの格納領域だけでなく、データの入出力や管理などの機能を含んでもよい。また、本出願に示す記憶手段の単位は説明上の便宜によるもので、適宜、構成を分割又は一体化できるほか、明示する記憶手段以外にも、各手段の処理データや処理結果などを記憶する記憶手段を適宜用いるものとする。
【００３３】
記憶手段のうち、評価サーバ１の評価等記憶手段４５は、取得手段４０によって取得された特定情報と評価情報と識別情報と（後述）を関連付けて記憶する手段である（例えば図２）。
【００３４】
なお、図中（例えば図１）の矢印は、データや制御などの流れについて主要な方向を補助的に示すもので、他の流れを否定するものでも、方向の限定を意味するものでもない。例えばある方向のデータ取得の前後に、データ要求や確認応答（ＡＣＫ）が逆方向に発生し得る。また、記憶手段以外の各手段は、以下に説明するような情報処理の機能・作用（例えば図１）を実現・実行する処理手段であるが、これらは説明のために整理した機能単位であり、実際のハードウェア要素やソフトウェアモジュールとの一致は問わない。
【００３５】
〔２．作用〕
上記のように構成された本システムのうち、本実施形態に特に関わる処理手順を図３のフローチャートに示す。この図のうち、まず、評価の付加、蓄積、表示を行う基本的な動作の部分から説明する。
【００３６】
〔２−１．評価の付加と蓄積〕
端末Ｔのユーザは、画面に表示されている情報（以下、「元ページ」と呼ぶ）の要素を指定し評価を付加することができる。この際、ユーザ側の端末Ｔでは、元ページ上に表示されている要素の指定と評価の付加を受け付ける（ステップＳ１１）。
【００３７】
具体的には端末Ｔにおいて（図３中「ユーザ側」）、指定手段２０が、情報サーバＳから提供された元ページの要素を指定する操作を受け付ける。元ページの要素に対する指定の態様としては、ページ全体でもよいし、文字列の任意の範囲、画像の全体や一部分といった、所望の要素を任意に指定できる。
【００３８】
指定手段２０が元ページの要素に対する指定操作を受け付けると、評価手段２５は、指定された元ページの要素に対する評価を示す評価情報を付加する操作を受け付ける。元ページの要素に対する評価は、肯定的評価又は否定的評価とすることができる。さらに、単に関心を持ったことを示す関心評価でもよい。
ここで、以下、肯定的評価及びそれを表す画面表示の一例を「イイネ」と表し、否定的評価及びそれを表す画面表示の一例を「ナイネ」と表す。
【００３９】
上述した評価情報を元ページの要素に付加する具体的な操作手順は、例えば、指定したい元ページの要素に対してマウスのドラッグ操作などにより指定状態にしたうえ（例えば図５の「○○選手１３戦連続ヒット」の部分）、マウスによる右クリック操作によって表示される選択肢から「イイネ」又は「ナイネ」を選択する。その結果、選択した要素に対する評価を付加することができる。といった操作手順が考えられる。ここでは、マウスを用いた操作手順を一例として記載したが、タッチパネルを備えた携帯端末上では、多様なタッチ操作によって上述した評価情報の付加操作を実現してもよい。
【００４０】
評価手段２５が評価情報の付加操作を受け付けると、ユーザが指定した情報に関するデータＤ１として、第１の送信手段３０が、指定された元ページの要素を特定する特定情報と、指定された元ページの要素に付加された評価情報と、評価情報を付加したユーザに関する識別情報と、を評価サーバ１（図３中「サーバ側」）へ送信する。
【００４１】
特定情報の形式は自由で、例えばページ全体を示すときはＵＲＬを用いることができ、ＤＯＭ（ドキュメント・オブジェクト・モデル）における画面要素の要素ＩＤ（図２では、あくまで概念的な例であるが「Ａ１」「Ｃ３」等）などの識別情報を用いることもできる。また、ある段落のうち、読点「。」で区切られた文を単位として、第１文（例えば図２）や第Ｎ文といった範囲を表す情報を用いることもできる。
【００４２】
評価サーバ１では、取得手段４０が、端末Ｔに表示される情報のうち指定された情報を特定する特定情報と、指定された情報に対する評価を示す評価情報と、評価情報を付加したユーザに関する識別情報と、を取得し、相互に関連付けて評価等記憶手段４５（単に「ＤＢ」とも呼ぶ）に記憶させる（ステップＳ２１。例えば図２）。また、キャッシュ取得手段８０が、評価情報に係る情報のキャッシュを情報サーバＳから取得し、予め定められたキャッシュ記憶手段８５に記憶させる（ステップＳ２２）。
【００４３】
〔２−２．評価の表示〕
上記のように付加された評価は、評価を付加した端末Ｔにおいて、その元ページの画面にすぐに反映して表示されるほか、当該元ページを参照している他の端末においても表示される。
【００４４】
具体的には、端末Ｔにおいてウェブページやアプリケーションの操作などにより、元ページを閲覧するための表示要求が発生すると、第２の送信手段６１が、リクエストすなわち情報の表示要求Ｄ２を情報サーバＳ及び評価サーバ１へ送信する（ステップＳ１２）。情報サーバＳは、この表示要求に対し情報を含む元ページをレスポンスすなわち表示情報Ｄ３として端末へ送信する。
【００４５】
また、評価サーバ１では、受付手段５０が表示要求Ｄ２を受け付けると、抽出手段５５が、受付手段５０によって受け付けられた表示要求に基づいて元ページの要素に対応する特定情報と評価情報と識別情報とを評価等記憶手段４５から抽出する（ステップＳ２３）。そして、出力手段６０は、抽出手段５５によって抽出された特定情報と評価情報と識別情報とを表示要求の出力元である端末Ｔに対して出力する（ステップＳ２４）。
【００４６】
この出力の際、特定情報と評価情報と識別情報とをそのまま端末Ｔへ出力してもよいが、ここでは、元ページ上に評価情報を表示する画面上の要素を表す表示情報を生成し、その表示情報Ｄ４をレスポンスとして端末Ｔへ送信するものとする。
【００４７】
端末Ｔでは、取得した元ページの表示情報Ｄ３と、元ページ上に評価情報を表示させる表示情報Ｄ４とに基づいて、元ページに評価情報が加えられたページを表示する（ステップＳ１３）。具体的には、まず、第１の受信手段６３が、第２の送信手段６１によって送信された表示要求に応じた情報として、元ページの表示情報Ｄ３（図３）を情報サーバＳから受信する。
【００４８】
一方、第２の受信手段６５は、第２の送信手段６１によって送信された表示要求に基づく特定情報と、評価情報と、識別情報と、を評価サーバ１から受信するが、ここでは、元ページ上に評価情報を表示する画面上の要素を表す表示情報Ｄ４として受信する。
【００４９】
そして、表示手段７０は、第２の受信手段６５によって受信された特定情報によって特定される情報を含む元ページに関連付けて、第２の受信手段６５によって受信された評価情報と識別情報とを画面に表示する。
【００５０】
なお、識別情報は、図２に例示するユーザＩＤや属性のように、個々のユーザを識別する情報に限らず、ある評価をしたユーザの数や、その数に応じた表示のサイズなど、ユーザに関する情報を意味する。例えば、図５の例では、「イイネ」を表す図形Ａ又は「ナイネ」を表す図形Ｂが、評価の数すなわちその評価を付加したユーザ数に応じたサイズで表示されている。
【００５１】
なお、評価情報を元ページに表示させる際（ステップＳ１３）に、元ページが変更または削除された場合は、キャッシュ記憶手段８５に記憶されているキャッシュを用いて当該元ページを表示しても良い。
【００５２】
この場合、評価サーバ１の出力手段６０は、評価情報に係る情報が変更または削除されたことを検出すると、キャッシュ記憶手段８５に記憶されているキャッシュにより、その情報のうち少なくとも、抽出された特定情報に係る部分を評価情報と共に端末Ｔへ送信する（ステップＳ２５）。ここで、評価情報に係る情報の変更または削除の検出は、例えば、端末Ｔから送信されるキャッシュ要求Ｄ５を受信する事でなされても良い。
【００５３】
〔２−３．要認証情報の取扱い〕
以上のような評価の付加、蓄積、表示について、本システムは、誰でも閲覧できるページを対象とする。具体的には、上記のような評価の付加の対象となる元ページを表示した時点で、表示している情報のデータ（例えばＵＲＬ等）を端末Ｔから評価サーバ１へ送信する（ステップＳ１０）。
【００５４】
評価サーバ１では判定手段１３が、端末Ｔに表示されている情報について、ＵＲＬのドメイン名などを基に、アクセス認証が必要な情報（「要認証情報」と呼ぶこととする）か不要な情報かを判定し、アクセス認証が不要と判定された情報に限って、評価制御手段１５が端末Ｔにおける評価情報の付加を所定の指示データの送信により許可する（ステップＳ２０）。この許可を受けて端末Ｔでは情報の指定と評価の付加を受け付けるが（ステップＳ１１）、許可がない場合は処理の中断やユーザへの警告などの対応を適宜行う。
【００５５】
一方、要認証情報については、評価の付加は受け付け、その要認証情報であるページなどについて、ＳＮＳ（ソーシャル・ネットワーキング・サービス）における友達登録などで共有する相手のみに評価を共有させることもできる。
【００５６】
この場合、評価サーバ１のユーザ識別手段５４は、各端末Ｔのユーザを識別し、出力手段６０は情報を出力する際（ステップＳ２４）、アクセス認証が必要と判定された情報に係る評価情報については、ＳＮＳを提供する所定のサーバ（例えば情報サーバＳ）にアクセスすることにより、その評価情報を付加したユーザとその情報を共有する相手として関連付けられているユーザを特定し、そのユーザの端末Ｔに対してのみ出力する。
【００５７】
〔２−４．関連情報の表示〕
端末Ｔでは、画面評価された評価情報をタップやマウスクリックなど所定の操作で選択することにより、その関連情報Ｒを表示させることができる（例えば図６）。この場合、端末Ｔは、表示される情報に関連付けられた評価情報の選択を受け付け、選択された評価情報を示す選択情報Ｄ７を評価サーバ１へ送信する（ステップＳ１４）。
【００５８】
評価サーバ１では出力手段６０が、取得手段４０により取得された選択情報Ｄ７に応じた評価情報に関連する予め定められた情報（「関連情報」と呼ぶこととし、例えば、当該情報の元ページの情報、評価を付加したユーザの情報、評価が付加された時間情報などである）を端末Ｔへ出力し（ステップＳ２６）、端末Ｔはこの関連情報Ｄ８を表示する（ステップＳ１５）。関連情報の内容は、例えば、図６に例示するユーザ属性ごとの評価数の他、個々のユーザを表すアイコンやアバターなどが考えられる。
【００５９】
ここで、ユーザ属性は、評価を付加するユーザの属性である。認証不要な情報に対する評価情報についてのユーザ属性は、例えば、アクセス元ＩＰアドレスに基づく位置情報の属する地域の別、評価を付与した時間帯の別などが考えられる。また、要認証情報に対する評価情報についてのユーザ属性の例としては、ＳＮＳ（ソーシャル・ネットワーキング・サービス）の会員登録における登録情報を閲覧可能に設定しているユーザについてはその登録情報（例えば、性別、年代など）などが挙げられる。図６の関連情報Ｒの例では、評価数（１８７人）のうち年代という属性の属性値（２０代、３０代）ごとに対応するユーザの割合を表示している。
【００６０】
〔２−５．まとめページの表示〕
以上は、情報の元ページごとに評価情報を表示する例であるが、複数の情報について横断的に、どの日時に、どの情報について多く評価が付加されたかを表す、いわゆるまとめページ（例えば図７）を表示することができる。この場合の処理手順を図４のフローチャートに簡単に示す。
【００６１】
この処理手順では、評価等記憶手段４５（ＤＢ）には、図２に例示するように、評価情報ごとに日時情報（タイムスタンプ）も対応付けて記憶させておく（ステップＳ４１）。そして、評価のまとめページに対する表示要求を受けて（ステップＳ３１）、評価サーバ１の出力手段６０は、特定情報によって特定される情報と関連付けて、その情報に付加された評価情報が示す評価の数と評価情報に対応付けられている日時情報とを端末Ｔへ出力する（ステップＳ４２、Ｓ４３）。
【００６２】
この際、まとめページの形式は任意であり、具体的な表示情報の生成はサーバ側でも端末側でもよいが、図４は、評価サーバ１側で時系列（タイムライン）形式のまとめページの表示情報も生成する例を示す。
【００６３】
この例では、出力手段６０が、ＤＢに記憶されている特定情報毎に、評価情報を付加しているユーザ数（すなわち評価情報が示す評価の数）と、評価情報に対応付けられている日時情報を集計する（ステップＳ４２）。集計では、例えば日時の区切りごとに、付加された評価の数をカウントし、その多い順に情報を順列させる。
【００６４】
そして、出力手段６０は、集計結果に対応した表示内容で、特定情報によって特定される情報すなわち指定された情報と、指定された情報に付加された評価情報の数を、日時における時間帯ごとに時系列に表示させるまとめページの表示情報を生成し、端末Ｔへ出力して（ステップＳ４３）表示させる（ステップＳ３２）。評価情報の数は、数字で表示してもよいが、数に応じたサイズで指定された情報を表示すれば一見して容易に数を把握できる。
【００６５】
図７は、このようなまとめページの表示例で、１４時台、１５時台といった順の時系列で、指定された情報（例えば文字列）Ｊが、評価の数に応じたサイズで表示されている。図７の例では、肯定的評価（イイネ）のまとめページを示したが、否定的評価（ナイネ）のまとめページや、肯定的評価と否定的評価の両方をまとめたまとめページを表示してもよい。
【００６６】
〔３．効果〕
（１）  以上のように本実施形態では、通信ネットワークＮ経由で受信され表示されるページにニュース記事など各種要素が複数混在していても、任意の要素単位を指定して付加する評価情報を、情報を特定する特定情報及び評価情報を付加したユーザの識別情報と対応付けてサーバ１に蓄積する。そして、他のユーザから表示要求（図３のＤ２）のあった情報について抽出した特定情報、評価情報、識別情報を端末へ出力し、特定情報が特定する情報に関連付けて評価情報と識別情報をまとめて表示させる（図５）。
【００６７】
このため、ネットワーク経由で閲覧されるウェブページを構成する要素単位へのユーザ評価と、その評価を投票したユーザに関する情報をユーザ間で共有することができる。
【００６８】
（２）  特に、本実施形態では、評価情報ごとに、評価が付加された日時情報（タイムスタンプ）も記録し（図２、図４のステップＳ４１）、グラフィックスなどで表現した評価の数を、日時情報に基づく時系列で表示することにより（ステップＳ４２、Ｓ４３、Ｓ３２）、いわば評価情報のまとめページを提供することができ（図７）、時間の流れに沿って情報単位の評価をユーザ間で共有することができる。
【００６９】
（３）  また、本実施形態では、アクセス認証が必要な情報であるか否かを判定し、認証が不要な情報に限って評価の付加を受け付けることにより、評価情報は閲覧できるが対象の情報にアクセスできないという不都合が回避でき、有意義な情報共有が実現できる。
【００７０】
（４）  さらに、本実施形態では、アクセス認証が必要なページに係る評価は、ＳＮＳ（ソーシャル・ネットワーキング・サービス）における友達登録などでその情報を共有する相手のユーザに対してのみ出力することで、対象の情報にアクセスできないユーザを混乱させることなく、対象の情報にアクセスできるユーザ間での評価情報の共有を確保することができる。
【００７１】
（５）  加えて、本実施形態では、評価情報を複数まとめて表示し、表示されている評価情報をクリック等すると（ステップＳ１４）、その評価情報に関連するＵＲＬや当該評価を付加したユーザの前記ユーザ属性など所定の情報を表示することにより（ステップＳ２６及びＳ１５、図６）、ユーザは様々な角度から評価に関する情報を得ることができる。
【００７２】
（６）  とりわけ、本実施形態では、評価対象の情報が元のＵＲＬから書き変わっていたり削除されていたりしても、取得しておいたキャッシュとともに評価情報を表示できるので（ステップＳ２５）、評価の対象となった情報を確実に確認することが可能となる。
【００７３】
〔４．他の実施形態〕
なお、上記実施形態は例示に過ぎず、本発明は、以下に例示するものやそれ以外の他の実施態様も含むものである。また、本出願における構成図、データの図、フローチャートなども例示に過ぎず、各要素の有無、その配置や処理実行などの順序、具体的内容などは適宜変更可能である。例えば、ＳＮＳその他の情報を提供する情報サーバＳを本システムに含めて把握してもよい。
【００７４】
また、評価サーバ１や端末Ｔを構成する個々の手段を実現する態様は自由で、外部のサーバが提供している機能をＡＰＩ（アプリケーション・プログラム・インタフェース）やネットワーク・コンピューティング（いわゆるクラウドなど）で呼び出して実現するなど、本発明の構成は柔軟に変更できる。さらに、本発明に関する手段などの各要素は、コンピュータの演算制御部に限らず物理的な電子回路など他の情報処理機構で実現してもよい。
【符号の説明】
【００７５】
１  情報処理装置（評価サーバ）
６、１６  演算制御部
７、１７  記憶部
８、１８  通信部
１３  判定手段
１５  評価制御手段
２０  指定手段
２５  評価手段
３０  送信手段
４０  取得手段
４５  評価等記憶手段
５０  受付手段
５４  ユーザ識別手段
５５  抽出手段
６０  出力手段
６１  送信手段
６３  受信手段
６５  受信手段
７０  表示手段
８０  キャッシュ取得手段
８５  キャッシュ記憶手段
Ｇ  表示画面
Ｎ  通信ネットワーク
Ｒ  関連情報
Ｓ  情報サーバ
Ｔ  端末装置（端末）
【図１】
0005479517.tif 000002
【図２】
0005479517.tif 000003
【図３】
0005479517.tif 000004
【図４】
0005479517.tif 000005
【図５】
0005479517.tif 000006
【図６】
0005479517.tif 000007
【図７】
0005479517.tif 000008